(57)【要約】【課題】  カラーセンサを搭載していない画像形成装置と搭載していない画像形成装置との間では出力画像の色差を低減することはできなかった。【解決手段】  色を合わせたい画像形成装置（Ｂ）でテストチャートを出力し（ＳＴＥＰ１−１）、その画像形成装置情報を選択（ＳＴＥＰ１−２）した後、カラーセンサを搭載した画像形成装置（Ａ）でテストチャート色度を精度よく検知する（ＳＴＥＰ１−３）。その後、そのテストチャートの色度結果に基づいて装置間の画像色差を低減する補正情報を出力する（ＳＴＥＰ１−４）。そして、色を合わせたい画像形成装置（Ｂ）で補正情報を用いて画像を出力する（ＳＴＥＰ１−５）。【選択図】  図４
2006343599.tif 000002
【特許請求の範囲】
【請求項１】
第１のカラーテストチャートを印刷出力するテストチャート出力手段と、
前記第１のカラーテストチャートの色度を検知するカラーセンサと、
前記カラーセンサを用いて前記第１のカラーテストチャートの色度を検知する第１検知手段と、
前記第１検知手段の検知結果に基づいて画像データの濃度制御を行う濃度制御手段と、
を有するカラー画像形成装置であって、
前記カラーセンサを用いて、他の画像形成装置によって印刷出力された第２のカラーテストチャートの色度を検知する第２検知手段と、
前記第１検知手段による前記第１のカラーテストチャートの色度の検知結果と、前記第２検知手段による前記第２のカラーテストチャートの色度の検知結果とに基づいて、前記他の画像形成装置における画像データの濃度制御のための補正情報を生成する生成手段と、
を有することを特徴とするカラー画像形成装置。
【請求項２】
複数の画像形成装置の中から前記他の画像形成装置をユーザに選択させる選択手段を更に有することを特徴とする請求項１に記載のカラー画像形成装置。
【請求項３】
前記複数の画像形成装置に前記他の画像形成装置が含まれていない場合に、当該他の画像形成装置と特徴付ける情報を入力する情報入力手段を更に有することを特徴とする請求項２に記載のカラー画像形成装置。
【請求項４】
前記生成手段は、前記情報入力手段により前記情報が入力された場合、前記第１検知手段による前記第１のカラーテストチャートの色度の検知結果と、前記情報入力手段により入力された前記情報とに基づいて、前記他の画像形成装置における画像データの濃度制御のための補正情報を生成することを特徴とする請求項３に記載のカラー画像形成装置。
【請求項５】
第１のカラーテストチャートを印刷出力するテストチャート出力手段と、前記第１のカラーテストチャートの色度を検知するカラーセンサと、前記カラーセンサを用いて前記第１のカラーテストチャートの色度を検知する検知手段と、前記検知手段の検知結果に基づいて画像データの濃度制御を行う濃度制御手段とを有するカラー画像形成装置の制御方法であって、
前記カラーセンサを用いて、他の画像形成装置によって印刷出力された第２のカラーテストチャートの色度を検知するステップと、
あらかじめ行った前記検知手段による前記第１のカラーテストチャートの色度の検知結果と、前記第２のカラーテストチャートの色度の検知結果とに基づいて、前記他の画像形成装置における画像データの濃度制御のための補正情報を生成するステップと、
を有することを特徴とするカラー画像形成装置の制御方法。
【発明の詳細な説明】
【技術分野】
【０００１】
本発明は、複数の色材を用いて記録媒体上にカラー画像を形成するカラー画像形成装置およびその制御方法に関するものである。
【背景技術】
【０００２】
一般に、電子写真プロセスを用いた画像形成装置は、使用環境やプリント枚数などの諸条件によって画像濃度の変動が起こりやすい。特に複数色のトナー画像を重ね合わせてカラープリントを行なうカラー画像形成装置では、各色の画像濃度が変動すると、カラーバランス（いわゆる色味）の変動が生じてしまうので、濃度変動を抑制することが重要課題となる。
【０００３】
そこで、近年のカラー画像形成装置の多くは、感光体や中間転写体などの像担持体上に検知用トナー画像（テストチャート）を試験的に作像し、テストチャートのトナー量を光学式センサ（濃度センサ）で検知し、検知結果から露光量、現像バイアス等にフィードバックをかけて画像濃度制御を行なって、安定した画像を得るようにしている（例えば、特許文献１を参照。）。
【０００４】
また、別の方法として、転写材（紙）上に検知用トナー画像（テストチャート）を試験的に作像し、転写材上の定着後トナーパッチのトナー色度を、白色ＬＥＤとＲＧＢオンチップフィルタ付き電荷蓄積型センサの組合せ、あるいは、ＲＧＢ３色が発光するＬＥＤとフィルタ無しセンサの組合せ、といった比較的安価な素子で構成される光学センサ（カラーセンサ）で検知し、検知結果から露光量、現像バイアス、あるいはγトーンカーブの補正テーブルにフィードバックをかけて画像濃度制御を行なう制御方法も提案されている。この方式は、像担持体上の未定着トナーを使用する濃度制御方法と比較して、優れた濃度安定性を得られるため、近年注目されつつある（例えば、特許文献２を参照。）。
【０００５】
これに加えて、作業時間短縮、効率化のために複数の画像形成装置を用いて、同じ色味と階調特性となる画像を出力したいというニーズもある。このようなニーズに対する従来例の一つとして、画像形成装置の画像濃度制御方法およびカラーセンサを用いて、カラーセンサを搭載した複数の画像形成装置間で出力される同じ画像の色差を低減させる制御方法が提案されている。（例えば、特許文献３を参照。）
【０００６】
【特許文献１】特開平１１−６５２３７号公報
【特許文献２】特開平１５−２８７９３４号公報
【特許文献３】特開２００３−１０７８３３号公報
【発明の開示】
【発明が解決しようとする課題】
【０００７】
しかしながら、上述したような、複数の画像形成装置間で出力される同じ画像の色差を低減させるための従来の技術には、次のような問題があった。
【０００８】
まず、従来の画像形成装置間で出力される同じ画像の色差を低減させる制御は、色差を低減させたい複数の画像形成装置のいずれにもカラーセンサが搭載されていることが前提であり、それぞれの画像形成装置で出力したテストチャート色度をそれぞれの画像形成装置が有するカラーセンサで検出する必要があった。したがって、従来の制御技術では、カラーセンサを搭載していない画像形成装置で出力された画像との色差を低減することはできなかった。
【０００９】
また、カラーセンサが搭載されている１台の画像形成装置を用いて、色差を低減したい他の画像形成装置で出力したテストチャート色度を検知しようとしても、機種間で異なる分光反射率を有するトナーを用いて画像形成している場合は、精度良く色度を検知することが困難であった。これは、安価な素子で構成されるカラーセンサの分光感度特性が等色関数と線形な関係にないためである（詳細は、文献：丸善株式会社，画像工学シリーズ10，「カラー画像複製論」 page15を参照。）。すなわち、特定の分光反射率特性をもつトナーに対しては、線形または非線型な行列変換あるいはルックアップテーブルによる変換等の最適化により、センサＲＧＢ出力を色度に最適変換できるが、それとは異なる分光反射率特性を持つトナーで形成されたテストチャートや、例えばインクジェットプリンタで出力されたテストチャート色度を精度良く検知することはできなかった。したがって、カラーセンサで検出したトナーパッチ色度の結果に基づいて機種間の出力画像の色差を低減する精度は良いものではなかった。
【００１０】
本発明は上記問題点に鑑みてなされたもので、転写材上のトナーパッチのトナー色度を検出するカラーセンサを具備しない画像形成装置との間で、精度良く画像の色差を低減することが可能な画像形成装置を提供することを目的とする。
【課題を解決するための手段】
【００１１】
本発明の一側面は、第１のカラーテストチャートを印刷出力するテストチャート出力手段と、前記第１のカラーテストチャートの色度を検知するカラーセンサと、前記カラーセンサを用いて前記第１のカラーテストチャートの色度を検知する第１検知手段と、前記第１検知手段の検知結果に基づいて画像データの濃度制御を行う濃度制御手段とを有するカラー画像形成装置に係り、前記カラーセンサを用いて、他の画像形成装置によって印刷出力された第２のカラーテストチャートの色度を検知する第２検知手段と、前記第１検知手段による前記第１のカラーテストチャートの色度の検知結果と、前記第２検知手段による前記第２のカラーテストチャートの色度の検知結果とに基づいて、前記他の画像形成装置における画像データの濃度制御のための補正情報を生成する生成手段とを有する。
【発明の効果】
【００１２】
本発明によれば、転写材上のトナーパッチのトナー色度を検出するカラーセンサを具備しない画像形成装置との間で、精度良く画像の色差を低減することが可能な画像形成装置が提供される。
【発明を実施するための最良の形態】
【００１３】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らないことも付言しておく。
【００１４】
［実施の形態１］
図１は、本実施の形態におけるカラー画像形成装置Ａの全体構成を示す断面図である。この装置Ａは、図示のように、電子写真方式のカラー画像形成装置の一例である中間転写体２７を採用したいわゆるタンデム方式のカラー画像形成装置である。本カラー画像形成装置Ａは、図１に示す画像形成部と図示しない画像処理部から構成される。
【００１５】
以下、図１を用いて、電子写真方式のカラー画像形成装置における、画像形成部の動作を説明する。画像形成部は、画像処理部が変換した露光時間に基づいて点灯させる露光光により静電潜像を形成し、この静電潜像を現像して単色トナー像を形成し、この単色トナー像を重ね合わせて多色トナー像を形成し、この多色トナー像を転写材１１へ転写し、その転写材１１上の多色トナー像を定着させるもので、給紙部２１、現像色分並置したステーション毎の感光体（２２Ｙ、２２Ｍ、２２Ｃ、２２Ｋ）、一次帯電手段としての注入帯電手段（２３Ｙ、２３Ｍ、２３Ｃ、２３Ｋ）、トナーカートリッジ（２５Ｙ、２５Ｍ、２５Ｃ、２５Ｋ）、現像手段（２６Ｙ、２６Ｍ、２６Ｃ、２６Ｋ）、中間転写体２７、転写ローラ２８、クリーニング手段２９、定着部３０、濃度センサ４１によって構成されている。
【００１６】
前記感光ドラム（感光体）２２Ｙ、２２Ｍ、２２Ｃ、２２Ｋは、アルミシリンダの外周に有機光導伝層を塗布して構成し、図示しない駆動モータの駆動力が伝達されて回転するもので、駆動モータは感光ドラム２２Ｙ、２２Ｍ、２２Ｃ、２２Ｋを画像形成動作に応じて反時計周り方向に回転させる。
【００１７】
一次帯電手段として、ステーション毎にイエロー（Ｙ）、マゼンダ（Ｍ）、シアン（Ｃ）、ブラック（Ｋ）の感光体を帯電させるための４個の注入帯電器２３Ｙ、２３Ｍ、２３Ｃ、２３Ｋを備える構成で、各注入帯電器にはスリーブ２３ＹＳ、２３ＭＳ、２３ＣＳ、２３ＫＳが備えられている。
【００１８】
感光ドラム２２Ｙ、２２Ｍ、２２Ｃ、２２Ｋへの露光光はスキャナ部２４Ｙ、２４Ｍ、２４Ｃ、２４Ｋから送られ、感光ドラム２２Ｙ、２２Ｍ、２２Ｃ、２２Ｋの表面を選択的に露光することにより、静電潜像が形成されるように構成されている。
【００１９】
現像手段として、前記静電潜像を可視化するために、ステーション毎にイエロー（Ｙ）、マゼンダ（Ｍ）、シアン（Ｃ）、ブラック（Ｋ）の現像を行う４個の現像器２６Ｙ、２６Ｍ、２６Ｃ、２６Ｋを備える構成で、各現像器には、スリーブ２６ＹＳ、２６ＭＳ、２６ＣＳ、２６ＫＳが設けられている。各々の現像器は脱着可能に取り付けられている。
【００２０】
中間転写体２７は、例えば周長８８０mmのポリイミド製の単層樹脂ベルトである。また、ベルトの抵抗調整のために適量のカーボン微粒子が樹脂内に分散されており、表面色は黒色である。更に、中間転写体２７の表面は、平滑性が高く光沢性を有している。この中間転写体２７は、感光ドラム２２Ｙ、２２Ｍ、２２Ｃ、２２Ｋに接触しており、カラー画像形成時に時計周り方向に回転し、感光ドラム２２Ｙ、２２Ｍ、２２Ｃ、２２Ｋの回転に伴って回転し、単色トナー像が転写される。その後、中間転写体２７に後述する転写ローラ２８が接触して転写材１１を狭持搬送し、転写材１１に中間転写体２７上の多色トナー像が転写する。
【００２１】
転写ローラ２８は、転写材１１上に多色トナー像を転写している間、２８ａの位置で転写材１１に当接し、印字処理後は２８ｂの位置に離間する。
【００２２】
定着部３０は、転写材１１を搬送させながら、転写された多色トナー像を溶融定着させるものであり、図１に示すように転写材１１を加熱する定着ローラ３１と転写材１１を定着ローラ３１に圧接させるための加圧ローラ３２を備えている。定着ローラ３１と加圧ローラ３２は中空状に形成され、内部にそれぞれヒータ３３、３４が内蔵されている。すなわち、多色トナー像を保持した転写材１１は定着ローラ３１と加圧ローラ３２により搬送されるとともに、熱および圧力を加えられ、トナーが表面に定着される。
【００２３】
トナー像定着後の転写材１１は、その後図示しない排出ローラによって図示しない排紙トレイに排出して画像形成動作を終了する。
【００２４】
クリーニング手段２９は、中間転写体２７上に残ったトナーをクリーニングするものであり、中間転写体２７上に形成された４色の多色トナー像を転写材１１に転写した後の廃トナーは、クリーナ容器に蓄えられる。
【００２５】
さらに、このカラー画像形成装置Ａは、転写材１１上に転写されたテストチャートとしてのトナーパッチのトナー色度を検知するためのカラーセンサ４２を備える。このカラーセンサ４２は、図１に示すように、転写材１１の搬送路の定着部３０より下流で、転写材１１の画像形成面へ向けて配置されている。そしてカラーセンサ４２は、転写材１１に形成された定着後のトナーパッチから、単色又は混色されたＲＧＢ値をトナー色度として得ている。得られたＲＧＢ値は画像処理部に入力され、そこで線形変換等の数学的処理又はニューラルネットを用いた学習処理等により色度情報に変換される。そして、この色度情報に基づいて、転写材１１上に形成された定着後のトナーパッチの濃度又は色度に応じた制御が行われることになる。このように定着後の画像を排紙部に排紙する前に、その転写材１１に転写されて定着されたパッチ画像の濃度や色度を自動的に検知することが可能となる。
【００２６】
図２は、本実施の形態におけるカラーセンサ４２の構成を示す図である。同図（Ａ）に示すように、このカラーセンサ４２は、白色ＬＥＤ５３とＲＧＢオンチップフィルタ付きの電荷蓄積型センサ５４ａを備えている。白色ＬＥＤ５３は、定着後のトナーパッチが形成された転写材１１に対して斜め４５度より白色光を入射させ、０度方向への乱反射光強度を電荷蓄積型センサ５４ａにより検知している。同図（Ｂ）は、この電荷蓄積型センサ５４ａの受光部５４ｂを示している。この受光部５４ｂは、Ｒ，Ｇ，Ｂフィルタとそれに対応する各センサを有し、各フィルタに対応して、それぞれ独立した色の画素を検知している。なお、この電荷蓄積型センサ５４ａはフォトダイオードでもよく、ＲＧＢの３画素のセットが数セット並んでいるものを用いることもできる。また入射角が０度、反射角が４５度の構成でもよい。更に、ＲＧＢ３色を発光するＬＥＤと、フィルタの無いセンサにより構成してもよい。
【００２７】
次に、カラーセンサ４２を用いた色度検知方法について詳細に説明する。
【００２８】
カラーセンサ４２の検出出力値は、トナーの無い状態（白色転写材の下地）では、RGB共に最大であり、転写材上の色トナー（C,M,Yトナー）が増加するに従って、補色関係にある受光部の出力値が減少する。黒トナー（Kトナー）はRGB全ての受光部の出力値が減少する。例えば、Cトナーが多く乗れば補色のR出力が減少する。また同様に、Mトナーに対してはG出力、Yトナーに対してはB出力、Kトナーに対してはR,G,B３出力が対応する。すなわち、RGBの出力値を検出し、それらRGBの３出力値のカラーバランスと、C,M,Yの色トナーおよびK単色トナーの単色および混色したトナー色度を対応づけることで、トナー色度を検出できる。
【００２９】
通常、安価な素子で構成される分光感度特性が等色関数と線形な関係にないカラーセンサの場合、特定の分光反射率特性をもつトナー又はインクに対して、線形または非線型な行列変換あるいはルックアップテーブルによる変換等を行い、Ｃ，Ｍ，Ｙ，Ｋの単色および混色の印字率（画像濃度）に対応したセンサＲＧＢ出力を最適に色度に変換している。本実施の形態では、図３の（Ａ）と（Ｂ）に示すようなセンサＲＧＢ出力に対応するＲＧＢの格子点（Ａ）をL*a*b*表色系に対応するL*a*b*の格子点（Ｂ）にルックアップテーブルを用いて変換している。なお、ルックアップテーブルの大きさは、ＲＧＢ、L*a*b*共に17×17×17である。また、線形・非線形行列等の数学的処理又はニューラルネットを用いた学習処理等の方法を使用してもよい。更に、本実施の形態の場合、センサＲＧＢ出力が格子点上にない場合（図３（Ｃ）中のPx）は、近接する格子点上の点（図Ｃ（３）中のP1,P2,P3,P4,P5,P6,P7,P8）を用いて補間計算によって、L*a*b*値に変換する。本実施の形態では、立方体補間を用いているが、三角柱補間、四面体補間等の一般的な補間方法を使用してもよい。
【００３０】
次に本実施の形態の特徴である、新たな装置を必要とすることなく、簡易に、かつ精度良く、カラーセンサを搭載した画像形成装置Ａとカラーセンサを搭載しない不図示の画像形成装置Ｂとの間で、画像の色差を低減する方法について、図４に示すフローチャートを用いて説明する。
【００３１】
（ＳＴＥＰ１−１）
まず、色を合わせたい画像形成装置Ｂでテストチャートを出力する。本実施の形態では、図５で示すようなテストチャートを出力する。このテストチャートは、ＲＧＢ形式の画像ファイルで、Ｒ，Ｇ，Ｂ各８パッチの計２４パッチから成る。
【００３２】
具体的には、パッチは、画像形成装置Ａのカラーセンサ４２の配置部分に適合するように、例えば、6.5ｍｍ角のパッチが2ｍｍ間隔で、Ｒ，Ｇ，Ｂ毎に画像データ（画像階調度）を８段階に変化させて（各色8パッチずつ）、合計２４個形成されている。各パッチと画像データとの対応は、R1,G1,B1=12.5％、R2,G2,B2=25％、R3,G3,B3=37.5％、R4,G4,B4=50％、R5,G5,B5=62.5％、R6,G6,B6=75％、R7,G7,B7=87.5％、R8,G8,B8=100％、に設定されている。なお、このパッチパターンは、画像形成装置Ｂ内のメモリにパッチデータとして記憶されており、このデータに基づいてプリンタエンジンを駆動することにより形成される。
【００３３】
（ＳＴＥＰ１−２）
次に、色を合わせたい画像形成装置Ｂの情報（画像形成装置情報）を選択する。例えば、カラーセンサ４２を搭載した画像形成装置Ａの入力手段（本実施の形態においては、画像形成装置Ａに設けられたオペレーションパネルとするが、ネットワークを介したホストコンピュータ上の設定画面であっても良い。）を介して、オペレータによって、色を合わせたい画像形成装置がリストから選択される。図６は、画像形成装置選択部として上記オペレーションパネルに表示されたリスト表示の一例である。
【００３４】
（ＳＴＥＰ１−３）
次に、カラーセンサを搭載した画像形成装置Ａで上記テストチャートの色度を検知する。ここで、リストから画像形成装置を選択することは、本実施の形態では、色を合わせたい画像形成装置の色材で最適化されたセンサＲＧＢ出力をL*a*b*色度に変換するルックアップテーブルを選択することを意味する。これにより、カラーセンサを搭載した画像形成装置Ａとは異なる画像形成装置で出力された後述するテストチャートの色度を精度良く測定することができる。なお、表示される画像形成装置に対応するルックアップテーブルは、予め図示しない本体メモリに保持されている。
【００３５】
（ＳＴＥＰ１−４）
次に、画像形成装置Ａ−Ｂ間の画像色差を低減する補正情報を出力する。
【００３６】
図７（Ａ）、（Ｂ）は、いずれもカラーセンサで検知したテストチャートのそれぞれのパッチ色度を表している。図７（Ａ）は、カラーセンサを搭載した画像形成装置Ａで出力したテストチャート結果で、図７（Ｂ）は色を合わせたい画像形成装置Ｂで出力したテストチャート結果である。本実施の形態では、これらのテストチャートの色度検知結果から、図７（Ｃ）に示すように、図７（Ａ）と図７（Ｂ）の差分で表される色変化率を求め、この変化率に応じて、色を合わせたい画像形成装置ＢのＲＧＢ画像データを、カラーセンサを搭載した画像形成装置Ａで出力される画像の色度と同じになるように、オリジナルＲＧＢ画像データを補正Ｒ’Ｇ’Ｂ’画像データに変換する補正テーブルを出力する。この場合の色を合わせたい画像形成装置Ｂの画像形成プロセスは、図８に示すようになり、補正テーブル１００を用いていったん補正ＲＧＢ画像データに変換され、紙上にプリントされる。なお、本実施の形態では、ＲＧＢ画像データの補正テーブルを出力したが、色を合わせたい画像形成装置のγトーンカーブを補正することができる場合は、ＣＭＹＫ画像データをテストチャートとして使用し、γトーンカーブ補正テーブルを出力してもよい。
【００３７】
（ＳＴＥＰ１−５）
次に、色を合わせたい画像形成装置Ｂで、補正情報を使って画像を出力する。本実施の形態では、上述した補正テーブルは例えば、画像形成装置に接続されたホストコンピュータのＯＳ上で動作する実行形式プログラムに含まれた形態で出力される。補正情報を持つ実行形式プログラムを実行したときに表示されるユーザインタフェース画面の例を図９に示す。出力したい画像データファイルを指定し、印刷実行するだけで、カラーセンサを搭載した画像形成装置Ａで同じ画像を出力した場合と同じ出力を得られる。
【００３８】
以上の処理によって、カラーセンサが搭載されている１台の画像形成装置Ａの画像形成装置情報選択手段により、色差を低減したい他の画像形成装置Ｂで出力したトナーパッチ色度を精度良く検知することが可能となり、新たな装置を必要とすることなく、容易に、かつ精度良く、カラーセンサを搭載した画像形成装置Ａとカラーセンサを搭載しない画像形成装置との間で、画像の色差を低減することが可能となる。
【００３９】
［実施の形態２］
本実施の形態では、カラーセンサを搭載した１台の画像形成装置Ａの画像形成装置情報選択手段に色差を低減したい他の画像形成装置Ｂの情報がない場合にも、色差を低減したい他の画像形成装置Ｂで出力したトナーパッチ色度を精度良く検知することを可能にする例を説明する。本実施の形態では、カラーセンサを搭載した１台の画像形成装置Ａの画像形成装置情報選択手段に色差を低減したい他の画像形成装置Ｂの情報がない場合に、色差を低減したい他の画像形成装置Ｂで使用する色材に関連する情報を入力する装置を備えていることを除いて、全体構成の主要部は上述の実施の形態１と同様であるため、説明は省略する。
【００４０】
以下、本実施の形態における、カラーセンサを搭載した画像形成装置Ａとカラーセンサを搭載しない不図示の画像形成装置Ｂとの間で画像の色差を低減する方法を、図１０のフローチャートを用いて説明する。
【００４１】
（ＳＴＥＰ２−１）
まず、色を合わせたい画像形成装置Ｂでテストチャートを出力する。テストチャートは、実施の形態１と同様である。
【００４２】
（ＳＴＥＰ２−２、ＳＴＥＰ２−３、ＳＴＥＰ２−４）
次に、色を合わせたい画像形成装置情報Ｂを選択する。カラーセンサを搭載した画像形成装置Ａの入力手段（本実施の形態においては、画像形成装置Ａに設けられたオペレーションパネルとするが、ネットワークを介したホストコンピュータ上の設定画面であっても良い。）を介して、オペレータによって、色を合わせたい画像形成装置がリストから選択される。図１１は、上記オペレーションパネルに表示されたリスト表示の一例である。
【００４３】
ここで、図１１に示すカラーセンサを搭載した画像形成装置Ａの画像形成装置選択部において、選択リスト中に、色を合わせたい画像形成装置Ｂがない場合は（ＳＴＥＰ２−３でＮＯの場合に相当）、色を合わせたい画像形成装置Ｂの情報を入力する（ＳＴＥＰ２−４）。本実施の形態では、図１１で示す画像形成装置選択部で、「画像形成装置情報がない」を選択すると、図１２に示す画像形成装置情報入力部が表示されるようになっており、色を合わせたい画像形成装置Ｂの情報を入力する。具体的には、本実施の形態では、色を合わせたい画像形成装置Ｂで出力した、ユーザ既知のY,M,C,K毎の画像印字率（濃度階調度）とその画像印字率で出力された画像色度を入力する。これらの色度は、色度計を使って実際に測色した値でも、製品マニュアル等に記載されている値でもよい。そしてこれらの情報に基づいて、不図示のカラーセンサを搭載した画像形成装置処理部が、不図示の本体メモリに保存されている既存のセンサＲＧＢ出力をL*a*b*色度に変換するルックアップテーブルの中で、最も特性が近いテーブルを選択する。本実施の形態では、ユーザ既知のY,M,C,K毎の画像印字率（濃度階調度）とその画像印字率で出力された画像色度を入力し、本体メモリに保存されている既存のセンサＲＧＢ出力をL*a*b*色度に変換するルックアップテーブルの中で、最も特性が近いテーブルを選択する方法をとっているが、これに限らず、トナーの分光反射率特性またはトナー粒径等の画像形成装置を特徴づける物理量を入力し、既存のセンサＲＧＢ出力をL*a*b*色度に変換するルックアップテーブルを選択または補正する方法であれば、本発明の範囲の範疇に属することは言うまでもない。
【００４４】
（ＳＴＥＰ２−５）
次に、カラーセンサを搭載した画像形成装置Ａで上記テストチャートの色度を検知する。ここで、リストから画像形成装置を選択することは、本実施の形態では、色を合わせたい画像形成装置の色材で最適化されたセンサＲＧＢ出力をL*a*b*色度に変換するルックアップテーブルを選択することを意味する。これにより、カラーセンサを搭載した画像形成装置Ａとは異なる画像形成装置で出力された後述するテストチャートの色度を精度良く測定することができる。なお、表示される画像形成装置に対応するルックアップテーブルは、予め図示しない本体メモリに保持されている。
【００４５】
また、リストに色を合わせたい画像形成装置Ｂがない場合では、上述したようにＳＴＥＰ２−４で画像形成装置情報を入力することで、テストチャートを出力した画像形成装置Ｂに最も特性が近いルックアップテーブルが選択され、同様に色度を精度よく測定することができる。
【００４６】
（ＳＴＥＰ２−６）
次に、画像形成装置Ａ−Ｂ間の画像色差を低減する補正情報を出力する。補正情報の出力方法およびその補正情報の算出方法は、実施の形態１と同様である。
【００４７】
（ＳＴＥＰ２−７）
次に、色を合わせたい画像形成装置Ｂで、補正情報を使って画像を出力する。具体的な画像出力方法は、実施の形態１と同様である。
【００４８】
以上の処理によれば、実施の形態１の効果に加え、カラーセンサを搭載した１台の画像形成装置Ａの画像形成装置情報選択手段に色差を低減したい他の画像形成装置Ｂの情報がない場合にも、色差を低減したい他の画像形成装置Ｂで出力したトナーパッチ色度を精度良く検知することができる。
【図面の簡単な説明】
【００４９】
【図１】実施形態におけるカラー画像形成装置の全体構成を示す断面図である。
【図２】実施形態におけるカラーセンサの構成を示す図である。
【図３】実施形態におけるカラーセンサのＲＧＢ出力を色度に変換するためのルックアップテーブルの概略図である。
【図４】実施形態における、画像形成装置Ａ−Ｂ間で画像の色差を低減する方法の一例を示すフローチャートである。
【図５】実施形態におけるテストチャートの一例を示す図である。
【図６】実施形態における画像形成装置選択部の一例を示す図である。
【図７】実施形態におけるカラーセンサによるテストチャート色度検知結果の例を示す図である。
【図８】実施形態における、色合わせの対象とされた画像形成装置における画像形成プロセスを説明する図である。
【図９】実施形態における印刷実行時のユーザインタフェース画面の例を示す図である。
【図１０】実施形態における、画像形成装置Ａ−Ｂ間で画像の色差を低減する方法の別の例を示すフローチャートである。
【図１１】実施形態における画像形成装置選択部の別の例を示す図である。
【図１２】実施形態における画像形成装置情報入力部の一例を示す図である。
【図１】
2006343599.tif 000003
【図２】
2006343599.tif 000004
【図３】
2006343599.tif 000005
【図４】
2006343599.tif 000006
【図５】
2006343599.tif 000007
【図６】
2006343599.tif 000008
【図７】
2006343599.tif 000009
【図８】
2006343599.tif 000010
【図９】
2006343599.tif 000011
【図１０】
2006343599.tif 000012
【図１１】
2006343599.tif 000013
【図１２】
2006343599.tif 000014